(57)【要約】【課題】吐出ヘッドから吐出される液滴の重量を高精度に測定することが可能な液滴重量測定装置および液滴吐出装置を提供することを目的とする。【解決手段】電極１１０ａ、１１０ｂと両面に電極１１０ａ、１１０ｂが形成された水晶振動子１１０とでＱＣＭセンサ１０６を構成する。測定部１１２は、吐出ヘッド１０３から吐出される液滴が電極１１０ｂに付着前の水晶振動子１１０の共振周波数を第１の共振周波数として検出し、また、その付着後の水晶振動子１１０の共振周波数を第２の共振周波数として検出する。演算部１１２は、第１の共振周波数と前記第２の共振周波数との変化量に基づいて、当該電極に付着した液滴の重量を測定する。制御部１０１は、液滴の重量測定の実行を制御し、第１の共振周波数が第１の所定範囲内にない場合には、液滴の重量測定を実行しない一方、第１の共振周波数が第１の所定範囲内にある場合には、液滴の重量測定を実行する。【選択図】      図１
2005043124.tif 000002
【特許請求の範囲】
【請求項１】
吐出ヘッドから吐出される液滴の重量を測定する液滴重量測定装置において、
前記吐出ヘッドに駆動信号を印加して液滴を吐出させる吐出ヘッド制御手段と、
両面に電極が形成された圧電振動子からなる検出手段と、
前記吐出ヘッドから吐出される前記液滴が前記電極に付着前の前記圧電振動子の共振周波数を第１の共振周波数として検出する第１の共振周波数検出手段と、
前記吐出ヘッドから吐出される前記液滴が前記電極に付着後の前記圧電振動子の共振周波数を第２の共振周波数として検出する第２の共振周波数検出手段と、
前記第１の共振周波数と前記第２の共振周波数との変化量に基づいて、当該電極に付着した液滴の重量を測定する液滴重量測定手段と、
前記第１の共振周波数が第１の所定範囲内に有るか否かを判定して、その判定結果に基づいて、前記液滴の重量測定の実行を制御する制御手段と、
を備えたことを特徴とする液滴重量測定装置。
【請求項２】
前記制御手段は、前記第１の共振周波数が前記第１の所定範囲内にない場合には、液滴の重量測定を実行しない一方、前記第１の共振周波数が前記第１の所定範囲内にある場合には、前記液滴の重量測定を実行することを特徴とする請求項１に記載の液滴重量測定装置。
【請求項３】
さらに、情報を表示するための表示手段を備え、
前記制御手段は、前記第１の共振周波数が前記第１の所定範囲内にない場合には、その旨を前記表示手段に表示することを特徴とする請求項２に記載の液滴重量測定装置。
【請求項４】
前記制御手段は、前記第１の共振周波数が前記第１の所定範囲内にある場合には、さらに、前記第２の共振周波数が第２の所定範囲内にあるか否かを判定し、前記第２の共振周波数が前記第２の所定範囲内にない場合には、液滴の重量測定を実行しないことを特徴とする請求項２に記載の液滴重量測定装置。
【請求項５】
さらに、情報を表示するための表示手段を備え、
前記制御手段は、前記第２の共振周波数が前記第２の所定範囲内にない場合には、その旨を前記表示手段に表示することを特徴とする請求項４に記載の液滴重量測定装置。
【請求項６】
さらに、前記電極を洗浄するための洗浄手段を備え、
前記制御手段は、前記第１の共振周波数が前記第１の所定範囲内にない場合には、前記洗浄手段に前記電極を洗浄させ、洗浄後の前記第１の共振周波数が前記第１の所定範囲内にある場合には、前記液滴の重量測定を実行することを特徴とする請求項１に記載の液滴吐出装置。
【請求項７】
前記圧電振動子は水晶振動子であることを特徴とする請求項１〜請求項６のいずれか１つに記載の液滴重量測定装置。
【請求項８】
請求項１〜請求項７のいずれか１つに記載の液滴重量測定装置を搭載したことを特徴とする液滴吐出装置。
【請求項９】
前記液滴吐出装置は、配線、カラーフィルタ、配向膜、マイクロレンズアレイ、エレクトロルミネセンス材料、および生体物質のうちのいずれか１つのパターン形成を用途とすることを特徴とする請求項８に記載の液滴吐出装置。
【請求項１０】
前記液滴吐出装置は、インクジェットプリンタであることを特徴とする請求項８に記載の液滴吐出装置。
【発明の詳細な説明】
【０００１】
【発明の属する技術分野】
本発明は、液滴重量測定装置および液滴吐出装置、特に、吐出ヘッドから吐出される液滴の重量を測定可能な液滴重量測定装置およびその液滴重量測定装置を搭載した液滴吐出装置に関する。
【０００２】
【従来の技術】
例えば、液晶表示装置のカラーフィルタ、配向膜等の成膜に液滴吐出装置が利用されている。また、液滴吐出装置は、これ以外にも工業上の各種の分野で利用されている。液滴吐出装置は、吐出ヘッドと呼ばれる液滴吐出機構を有している。この吐出ヘッドには、規則的に複数のノズルが形成されている。液滴吐出装置では、これらのノズルから吐出材料の液滴を吐出することにより、何等かの製品の構成要素となる基板上に吐出材料からなるパターンの描画を行う。近時、このパターンは微細化が進んでおり、吐出ヘッドから吐出する液滴の重量を精度良く制御する必要がある。そのため、微細な液滴の重量を精度良く測定することは、液滴の吐出量を精度良く制御するために不可欠なものとなる。吐出ヘッドから吐出される液滴の重量を測定する装置としては、以下の装置が公知である（例えば、特許文献１参照）。同装置は、付着した液滴の質量により共振周波数が変化する共振部を備え、計測部は、この共振周波数変化を計測し、演算部は、共振周波数変化に基づいて液滴の質量を計測するものである。
【０００３】
【特許文献１】
特開２００２−１３９３７０号公報
【０００４】
【発明が解決しようとする課題】
しかしながら、同装置によれば、共振部の共振周波数の僅かな変化で液滴の重量を測定するため、共振部に汚染物が僅かでも残るとその共振周波数は変動するので、正確に液滴の重量を測定することができないという問題がある。
【０００５】
本発明は、上記に鑑みてなされたものであり、吐出ヘッドから吐出される液滴の重量を高精度に測定することが可能な液滴重量測定装置およびその液滴重量測定装置を搭載した液滴吐出装置を提供することを目的とする。
【０００６】
【課題を解決するための手段】
上記課題を解決し、目的を達成するために、本発明によれば、吐出ヘッドから吐出される液滴の重量を測定する液滴重量測定装置において、前記吐出ヘッドに駆動信号を印加して液滴を吐出させる吐出ヘッド制御手段と、両面に電極が形成された圧電振動子からなる検出手段と、前記吐出ヘッドから吐出される前記液滴が前記電極に付着前の前記圧電振動子の共振周波数を第１の共振周波数として検出する第１の共振周波数検出手段と、前記吐出ヘッドから吐出される前記液滴が前記電極に付着後の前記圧電振動子の共振周波数を第２の共振周波数として検出する第２の共振周波数検出手段と、前記第１の共振周波数と前記第２の共振周波数との変化量に基づいて、当該電極に付着した液滴の重量を測定する液滴重量測定手段と、前記第１の共振周波数が第１の所定範囲内に有るか否かを判定して、その判定結果に基づいて、前記液滴の重量測定の実行を制御する制御手段と、を備えたことを特徴とする。
【０００７】
第１の共振周波数測定手段は、前記吐出ヘッドから吐出される前記液滴が前記電極に付着前の前記圧電振動子の共振周波数を第１の共振周波数として検出する。制御手段は、前記第１の共振周波数が第１の所定範囲内に有るか否かを判定して、その判定結果に基づいて、前記液滴の重量測定の実行を制御する。ここで、前記第１の共振周波数が第１の所定範囲内にない場合とは、検出手段に汚染物が付着していて正確に液滴の重量を測定できない場合である。制御手段は、前記第１の共振周波数が前記第１の所定範囲内にない場合には、液滴の重量測定を実行しない一方、前記第１の共振周波数が前記第１の所定範囲内にある場合には、前記液滴の重量測定を実行することにより、検出手段に汚染物が付着していて正確に液滴の重量を測定できない場合には、液滴の重量の測定を回避できる。この結果、吐出ヘッドから吐出される液滴の重量を高精度に測定することが可能な液滴重量測定装置を提供することができる。
【０００８】
また、本発明の好ましい態様によれば、前記制御手段は、前記第１の共振周波数が前記第１の所定範囲内にない場合には、液滴の重量測定を実行しない一方、前記第１の共振周波数が前記第１の所定範囲内にある場合には、前記液滴の重量測定を実行することが望ましい。これにより、検出手段に汚染物が付着していて正確に液滴の重量を測定できない場合には、液滴の重量の測定を回避でき、検出手段に汚染物が付着していない場合のみ液滴の重量を測定することができる。
【０００９】
また、本発明の好ましい態様によれば、さらに、情報を表示するための表示手段を備え、前記制御手段は、前記第１の共振周波数が前記第１の所定範囲内にない場合には、その旨を前記表示手段に表示することが望ましい。これにより、操作者は、検出手段の汚れを知ることができ、検出手段を清掃して再度液滴の重量の測定を行ったり、新品の検出手段に交換して液滴の重量を測定することができる。
【００１０】
また、本発明の好ましい態様によれば、前記制御手段は、前記第１の共振周波数が前記第１の所定範囲内にある場合には、さらに、前記第２の共振周波数が第２の所定範囲内にあるか否かを判定し、前記第２の共振周波数が前記第２の所定範囲内にない場合には、液滴の重量測定を実行しないことが望ましい。これにより、より厳格に検出手段の汚染物の付着を検出することができる。
【００１１】
また、本発明の好ましい態様によれば、さらに、情報を表示するための表示手段を備え、前記制御手段は、前記第２の共振周波数が前記第２の所定範囲内にない場合には、その旨を前記表示手段に表示することが望ましい。これにより、操作者は、検出手段の汚れを知ることができ、検出手段を清掃して再度液滴の重量の測定を行ったり、新品の検出手段に交換して液滴の重量を測定することができる。
【００１２】
また、本発明の好ましい態様によれば、さらに、前記電極を洗浄するための洗浄手段を備え、前記制御手段は、前記第１の共振周波数が前記第１の所定範囲内にない場合には、前記洗浄手段に前記電極を洗浄させ、洗浄後の前記第１の共振周波数が前記第１の所定範囲内にある場合には、前記液滴の重量測定を実行することが望ましい。これにより、自動的に検出手段の電極に付着した液滴を洗浄することができる。この結果、液滴重量の測定後に液滴が付着した検出手段を操作者が清掃する必要がなくなる。
【００１３】
また、本発明の好ましい態様によれば、前記圧電振動子は水晶振動子であることが望ましい。これにより、液滴の付着による共振周波数の変化を高精度に検出することができる。
【００１４】
また、本発明の好ましい態様によれば、上述の液滴重量測定装置を液滴吐出装置に搭載することが望ましい。これにより、液滴吐出装置で吐出ヘッドから吐出される液滴の重量を高精度に測定することができる。
【００１５】
また、本発明の好ましい態様によれば、前記液滴吐出装置は、配線、カラーフィルタ、配向膜、マイクロレンズアレイ、エレクトロルミネセンス材料、および生体物質のうちのいずれか１つのパターン形成を用途とすることが望ましい。これにより、本発明の液滴吐出装置を使用して、配線、カラーフィルタ、配向膜、マイクロレンズアレイ、エレクトロルミネセンス材料、および生体物質のうちのいずれか１つのパターン形成を行うことができる。
【００１６】
また、本発明の好ましい態様によれば、前記液滴吐出装置は、インクジェットプリンタであることが望ましい。これにより、本発明の液滴吐出装置をインクジェットプリンタとして使用することが可能となる。
【００１７】
【発明の実施の形態】
以下、添付図面を参照して、本発明にかかる液滴重量測定装置およびその液滴重量測定装置を搭載した液滴吐出装置の好適な実施の形態を説明する。
（実施の形態１）
本発明の実施の形態１にかかる液滴吐出装置を、［液滴吐出装置の全体構成］、［吐出ヘッド］、［ＱＣＭセンサ］、［液滴重量の測定原理］、［液滴重量の測定フロー］の順に説明する。
【００１８】
［液滴吐出装置の全体構成］
図１は、本発明の実施の形態１にかかる液滴吐出装置１００の全体の概略構成を示す図である。実施の形態１の液滴吐出装置１００は、ＱＣＭ（Ｑｕａｒｔｚ−Ｃｒｙｓｔａｌ  Ｍｉｃｒｏｂａｌａｎｃｅ）と呼ばれるセンサを搭載した構成となっている。本実施の形態の液滴吐出装置１００は、主として、制御部１０１と、ヘッドキャリッジ１０２と、吐出ヘッド１０３Ｒ，１０３Ｇ，１０３Ｂと、インクタンク１０４Ｒ、１０４Ｇ、１０４Ｂと、ステージ１０５と、ＱＣＭセンサ１０６と、計測部１０７と、表示部１０８とを備えて構成されている。
【００１９】
制御部１０１は、ＣＰＵ（Ｃｅｎｔｒａｌ  Ｐｒｏｃｅｓｓｉｎｇ  Ｕｎｉｔ）、ＲＯＭ、ＲＡＭなどからなり、液滴吐出装置１００全体を制御する。具体的には、制御部１０１は、ステージ１０５上に載置された基板等の対象物Ｗに吐出ヘッド１０３Ｒ、Ｇ、Ｂで描画する動作の制御や、吐出ヘッド１０３Ｒ、Ｇ、Ｂから吐出される液滴の重量を測定する動作の制御を行う。ヘッドキャリッジ１０２は、制御部１０１の制御に従って、吐出ヘッド１０３Ｒ、１０３Ｇ、１０３Ｂを副走査方向（Ｘ軸方向）に搬送する。吐出ヘッド１０３Ｒ、１０３Ｇ、１０３Ｂは、ヘッドキャリッジ１０２に担持されてヘッドキャリッジ１０２とともに移動し、制御部１０１から入力される駆動信号に応じて、そのノズルから液滴を吐出する。
【００２０】
インクタンク１０４Ｒ、１０４Ｇ、１０４Ｂは、Ｒ，Ｇ，Ｂのインクが充填されており、吐出ヘッド１０３Ｒ、１０３Ｇ、１０３ＢにＲ，Ｇ，Ｂのインクをそれぞれ供給する。ステージ１０５は、基板等の描画対象物Ｗが載置され、制御部１０１の制御に従って不図示の駆動機構により主走査方向（Ｙ軸方向）に搬送する。ＱＣＭセンサ１０６は、圧電振動子である水晶振動子１１０と当該水晶振動子１１０の両面に形成された電極１１０ａ、１１０ｂとで構成されている。このＱＣＭセンサ１０６は、吐出ヘッド１０３Ｒ、１０３Ｇ、１０３Ｂから吐出される液滴の重量を測定する場合に使用される。また、ＱＣＭセンサ１０６は着脱可能に設けられおり、ＱＣＭセンサ１０６は取り外して清掃が可能になっている。計測部１０７は、ＱＣＭセンサ１０６の電極１１０ｂに対して液滴の付着前の水晶振動子１１０の共振周波数（第１の共振周波数）と、液滴の付着後の水晶振動子１１０の共振周波数（第２の共振周波数）との変化を検出して、電極１１０ｂに付着した液滴の重量を測定し、測定結果を制御部１０１に出力する。表示部１０８は、例えば、ＬＣＤモニターからなり、制御部１０１の制御に従って、液滴の重量の測定結果等を表示する。
【００２１】
［吐出ヘッド］
図２は、図１の吐出ヘッド１０３Ｒの詳細な構成を示す図である。吐出ヘッド１０３Ｒは、図２に示す如く、圧力室１２１と、ピエゾ素子１２２と、ノズル１２３とを備えて構成されている。圧力室１２１は、インクタンク１０４Ｒ内と連通し、インクタンク１０４Ｒから供給された赤色インクを一時的に貯える。ピエゾ素子１２２は、周知のように電圧を印加すると、結晶構造が歪んで極めて高速に電気−機械エネルギの変換を行う素子である。ピエゾ素子１２２は、制御部１０１から供給される駆動信号に応じて、圧力室１２１の内面を変形させ、圧力室１２１内の赤色インクを増減圧する。吐出ヘッド１０３Ｒにおいては、このピエゾ素子１２２による赤色インクの増減圧に応じて、ノズル１２３から赤色インクを液滴ＩＰとして吐出する。
【００２２】
吐出ヘッド１０３Ｇは、吐出ヘッド１０３Ｒと同様な構成をしており、制御部１０１から供給される駆動信号に応じて、インクタンク１０４Ｇから供給を受けた緑色インクを液滴として吐出する。同様に吐出ヘッド１０３Ｂも、制御部１０１から供給される駆動信号に応じて、インクタンク１０４Ｂから供給を受けた青色インクを液滴として吐出する。この実施形態においては、説明の便宜上、赤色インク、緑色インクおよび青色インクは、それらの液体としての性質（例えば温度に応じた粘度特性など）が略同一に揃えられており、同一条件下では、同様な流体的挙動を示すものとする。したがって、仮に液滴吐出にかかる条件が全く同一であれば、いずれのインクを用いた場合であっても、同量の液滴にて吐出される。なお、以降の説明においては、吐出ヘッド１０３Ｒ、１０３Ｇ、１０３Ｂの各々を特に区別する必要のない場合には、吐出ヘッド１０３と記載し、同様に、インクタンク１０４Ｒ、１０４Ｇ、１０４Ｂの各々を特に区別する必要のない場合には、インクタンク１０４と記載する。
【００２３】
図３は、ピエゾ素子１２２に印加する駆動信号の駆動波形を制御することで、吐出する液滴ＩＰの大きさを変更する原理を説明するための図である。同図において、横軸は時刻、縦軸は駆動電圧を示している。同図において、時刻「０」から時刻「Ｔ１」までの期間においては、ピエゾ素子１２２に供給される駆動信号は一定値「ＶＭ」をとり、この際、ピエゾ素子１２２は変形しない。続く、時刻「Ｔ１」から時刻「Ｔ２」まで期間において、駆動信号は、「ＶＭ」から「ＶＨ」まで上昇する。これを受けてピエゾ素子１２２は、圧力室１２１内のインクが減圧されるように変形し、インクタンク１０４から圧力室１２１にインクが流入する。
【００２４】
次に、時刻「Ｔ２」から時刻「Ｔ３」までの間に、駆動信号は、一定値「ＶＨ」をとり、続く、時刻「Ｔ３」から時刻「Ｔ４」まで間において、駆動信号は、「ＶＨ」から「ＶＬ」まで下降する。この駆動信号の下降により、ピエゾ素子１２２は、圧力室１２１内のインクが増圧するように変形し、圧力室１２１内の赤色インクがノズル１２３から連なった状態で吐出する。なお、以降の説明においては、時刻「Ｔ３」から時刻「Ｔ４」まで期間を、電圧下降期間ΔＴと称し、当該電圧下降期間ΔＴにおいて下降する電圧の量「ＶＨ−ＶＬ」を、電圧下降量ΔＶと称することとする。
【００２５】
次いで、時刻「Ｔ４」から時刻「Ｔ５」までの間に、駆動信号は、一定値「ＶＬ」をとり、続く、時刻「Ｔ５」から時刻「Ｔ６」まで間において、駆動信号は、「ＶＬ」から「ＶＭ」まで上昇する。この駆動信号の上昇により、ピエゾ素子１２２は、圧力室内のインクの圧力が減少するように変形し、上述した電圧下降期間ΔＴに一旦吐出されたインクが引き戻され、その一部が液滴ＩＰとして吐出する。
【００２６】
ここで、説明の便宜上、駆動波形における電圧下降期間ΔＴあるいは電圧下降量ΔＶを調整して、液滴量を変更する技術について説明する。まず、電圧下降期間ΔＴを短くすると、溶液の増圧にかかる期間が短縮されて、電圧下降時間ΔＴ内にノズル１２３から吐出するインクの勢いが増し、液滴量を増大することができる。逆に、電圧下降期間ΔＴを長くすると、ノズル１２３から吐出するインクの勢いが低下し、液滴量を減少させることができる。
【００２７】
一方、電圧下降量ΔＶを大きくすると、インクの増圧量が増大されて、電圧下降時間ΔＴ内にノズル１２３から吐出するインクの量が増し、液滴量を増大させることができる。逆に、電圧下降量ΔＶを小さくすると、ノズル１２３から吐出するインク量が減少し、液滴量を減少させることができる。これらの技術は、例えばノズル径などの吐出ヘッド１０３の機械的構成を変更することなく、液滴量を任意に変更させることができるため、１つのノズル１２３から複数の量の液滴を選択的に吐出させる場合などに広く用いられている技術である。
【００２８】
［ＱＣＭセンサ］
図４は、図１のＱＣＭセンサ１０６の構成を示す平面図である。水晶振動子１１０は、略正方形状を呈し、その両面に、一対の電極１１０ａ、１１０ｂが略対向した状態で取り付けられている。一対の電極１１０ａ、１１０ｂは、ＡｕやＰｔの金属で構成することができる。また、絶縁体１３１は、導電性を有する支持体１３３ａ、１３３ｂによって、水晶振動子１１０を振動自在に保持する。支持体１３３ａは、電極１１０ａと導通すると共に、絶縁体１３１に固定された端子１３２ａと導通している。同様に、支持体１３３ｂは、電極１１０ｂと導通すると共に、絶縁体１３１に固定された端子１３２ｂと導通している。また、同図において、ＰＥは電極１１０ｂの略中央位置を示している。
【００２９】
図５は、水晶振動子１１０の等価回路を示している。水晶振動子１１０は、電気的には、図５に示すように、抵抗Ｒ１と、コンデンサＣ１およびＣｏと、コイルＬ１とで構成される電気回路と等価である。ここで、並列容量であるＣｏは、水晶振動子１１０の両面に設けられた電極１１０ａ、１１０ｂによって生成される容量成分である等価電極容量である。水晶振動子１１０は電気的な固有周波数を有しており、水晶振動子１１０の両側に設けた電極１１０ａ、１１０ｂを電源に接続すると、回路は固有周波数で発振を開始し、水晶振動子１１０も発振周波数と同じ周波数で振動する。発振する周波数は、主に、結晶の成長軸に対して水晶振動子１１０を切り出した角度と、水晶振動子１１０の厚さとによって定まり、また、水晶振動子１１０の振動形態は薄板を切り出した角度によって決定される。ＱＣＭでは、通常、ＡＴカットと呼ばれる所定の角度で切り出された水晶振動子１１０が用いられており、ＡＴカットされた水晶振動子１１０の振動形態は、厚みすべり振動、すなわち水晶振動子１１０の表面と裏面とが、水晶振動子１１０の厚み方向と直角方向に、互いにずれるように振動する形態となる。
【００３０】
水晶振動子１１０は、自身に作用する外力が一定であれば、一定の共振周波数にて振動するが、電極１１０ｂに液滴が付着して外力が変化すると、その変化量に応じて共振周波数が変化するという特性を有している。換言すると、電極１１０ｂに液滴が付着すると、水晶振動子１１０は、その液滴の重量および粘度に応じた共振周波数にて振動するという特性を有している。また、水晶振動子１１０は、電極１１０ｂに液体が付着すると、付着した液体の粘度に応じて、その共振抵抗値が変化するという特性を有している。後述するように、計測部１０７は、これらの水晶振動子１１０の特性を利用して、液滴の重量および粘度を算出する。
【００３１】
［液滴重量の測定原理］
図６は、図１の計測部１０７の概念図を示している。本実施の形態の計測部１０７は外部発振方式を使用している。図６において、計測部１０７では、水晶振動子１１０の一方の電極１１０ａに、発振器１５０で（振動電圧発振部１１１に対応）振動電圧Ｖｉｎを印加して水晶振動子１１０を励起する。ＲＦ電圧計１５１（測定部１１２に対応）は、励起された水晶振動子１１０の他方の電極１１０ｂから流れる電流Ｉｑ＝（Ｖｑ／ＲＬ）を測定する。これにより、印加した振動電圧と水晶振動子１１０を流れる電流の関係からその周波数に対する水晶振動子１１０の電気的なインピーダンスを求めることができる。インピーダンスは、共振周波数付近で大きく変化する。そこで、計測部１０７では、印加する振動電圧の周波数を掃引しながらインピーダンスを測定し、そのインピーダンスが最小となる周波数を求める。この周波数が直列共振周波数（ｆｓ）であり、このときの抵抗成分が共振抵抗となる。
【００３２】
図７は、水晶振動子１１０の共振周波数を測定する場合に使用される帰還型の自励式発振方式（従来方式）の概念図を示している。本実施の形態の外部発振方式を、図７に示す帰還型の自励式発振方式と比較して説明する。図７において、帰還型の自励式発振方式では、水晶振動子１１０を含む発振回路を共振状態としておき、電極に液滴が付着したことによって変化する共振周波数を周波数カウンタ１６０で計測する。そして、測定した共振周波数に基づいて、水晶振動子の電極面に付着した物質の重量を測定する。しかしながら、上述したように、水晶振動子１１０の共振周波数は付着した物質の粘弾性によっても変化する。このため、粘弾性的な特性を併せ持った物質が付着した場合、どちらかの影響によって変化したのか判別することができない。他方、共振抵抗は、主に粘弾性に比例することが知られている。本実施の形態の計測部１０７では、共振周波数と共振抵抗の両者を測定して、その変化が重量に起因するものか、粘弾性に起因するものかを判別している。
【００３３】
図８は、水晶振動子１１０のアドミッタンス線図を示している。上記図５の等価回路で表される水晶振動子のインピーダンスについて、周波数特性を測定し、これをＸ軸にＧ（コンダクタンス）、Ｙ軸にＢ（サセプタンス）成分を取ったインピーダンス平面上にプロットしたものである。同図に示すように、等価電極容量Ｃｏの影響によって、曲線は、全体がＢ軸上をωＣｏ分ずれてしまう。帰還型の自励式発振方式の共振点は、位相ずれが「０」になる点、すなわち、Ｂ成分が「０」になる点であるので、同図でｆｒで示している。Ｃｏのために共振点は、本来の水晶振動子の共振点であるｆｓ（直列共振周波数）からｆｒ（一般的に共振周波数と言う場合はｆｒを言う）にずれてしまう。
【００３４】
ここで、重量と周波数の比例関係はあくまでもｆｓについて成立する。したがって、ｆｒを基準とした帰還型の自励式発振方式では、重量と周波数の関係に誤差が生じる。具体的には、同図の（ａ）に示すように、負荷が小さくＧが大きいうちは（共振抵抗Ｒが小さいうち）は、円の半径が大きいためｆｓとｆｒの値にはあまり差がない。これに対して、同図の（ｂ）に示すように、負荷が増えてＧが極端に小さく（Ｒが大きく）なると、両者はずれで大きくなる。このため、ｆｒを共振周波数として測定する帰還型の自励式発振方式では、負荷が増えるにしたがって直線性が悪化する。これに対して、本実施の形態のような外部発振方式でｆｓを測定する方式では、このような直線性の劣化は生じない。
【００３５】
さらに、負荷が増えて、同図の（ｃ）のようになると、ｆｒ点が消えてしまうため、従来の帰還型の自励発振方式では発振することができなくなる。これに対して、本実施の形態の外部発振方式では、ｆｓを測定するため等価電極容量Ｃｏの影響がない。したがって、この場合でも共振点を見つけ出すことが可能となる。すなわち、本実施の形態の外部発振方式では、帰還型の自励発振方式に比して、重負荷での測定が可能となる。また、帰還型の自励発振方式では、発振の安定と精度の両方を得るためには使用する周波数に応じて発振回路をチューニングする必要がある。このため、同じ発振回路で広範な発振周波数に対応することが困難である。これに対して、本実施の形態の外部発振方式では、水晶振動子１１０を振動させる振動電圧を外部で生成するため、広範な周波数に回路変更なしで対応可能である。
【００３６】
つぎに、図１の計測部１０７を詳細に説明する。振動電圧発振部１１１は、ＱＣＭセンサ１０６の一方の電極１１０ａに振動電圧を印加して、水晶振動子１１０を振動させる。その際、振動電圧の周波数を低周波数から高周波数へと少しずつ変更して周波数の掃引を行う。測定部１１２は、ＱＣＭセンサ１０６の他方の電極１１０ｂから流れる電流Ｉｑ＝（Ｖｑ／ＲＬ）を測定し、印加した振動電圧と水晶振動子１１０を流れる電流の関係からその周波数に対する水晶振動子１１０の電気的なインピーダンスを算出する。そして、測定部１１２は、測定したインピーダンスが最小となる周波数（上述の直列共振周波数ｆｓ）を共振周波数値として算出し、このときのインピーダンスを共振抵抗値として算出する。測定部１１２は、算出した共振周波数値および共振抵抗値を演算部１１３に出力する。この場合、測定部１１２は、電極１１０ｂへの液滴の付着前における共振周波数ｆｂｅｆｏｒｅ（第１の共振周波数）と、付着後における共振周波数ｆａｆｔｅｒ（第２の共振周波数）を演算部１１３に出力する。演算部１１３は、以下のようにして、測定部１１２から入力される共振周波数ｆｂｅｆｏｒｅ、ｆａｆｔｅｒに基づいて、液滴の重量を算出し、また、測定部１１２から入力される共振抵抗に基づいて、液滴の粘度を算出する。
【００３７】
ここで、電極１１０ｂに付着した液滴の重量をＩｍとし、液滴の付着前後における共振周波数の変化量Δｆｒｅｑとすると、液滴の重量Ｉｍと、液滴の付着前後における共振周波数の変化量Δｆｒｅｑの関係は、下式（１）のように表すことができる。
【００３８】
【数１】
2005043124.tif 000003
【００３９】
また、共振抵抗値をＲとし、電極１１０ｂに付着した液滴の粘度をηとすると、これらの関係は、下式（２）で表すことができる。
【００４０】
【数２】
2005043124.tif 000004
【００４１】
演算部１１３は、測定部１１２から供給される電極１１０ｂへの液滴の付着前における共振周波数ｆｂｅｆｏｒｅ、付着後における共振周波数ｆａｆｔｅｒからその変化量Δｆｒｅｑ＝ｆｂｅｆｏｒｅ−ｆａｆｔｅｒを算出した後、変化量Δｆｒｅｑを上記式（１）に代入して、液滴の重量Ｉｍを算出する。また、演算部１１３は、測定部１１２から入力される電極１１０ｂに液滴の付着後の共振抵抗値Ｒを、上記式（２）に代入して、液滴の粘度ηを算出する。演算部１１３は、算出した液滴の粘度ηおよび重量Ｉｍを制御部１０１に出力する。
【００４２】
ところで、上述したように、ＱＣＭセンサ１０６の電極１１０ｂに汚染物が付着していると、液滴の重量Ｉｍを高精度に測定することができない。図９は、水晶振動子の共振周波数の変化を説明するための図である。同図において、横軸は時間、縦軸は共振周波数を示しており、実線は理想的な（汚染物が付着していない）水晶振動子１１０の共振周波数ｆの変化、破線はＱＣＭセンサ１０６の電極１１０ｂに汚染物が付着している場合の水晶振動子１１０の共振周波数ｆの変化を示している。同図に示すように、電極１１０ｂに対して液滴の付着前には、汚染物が付着している場合、汚染物が付着していない場合に比して、共振周波数ｆはΔｆｂｅｆｏｒｅ分シフトする。他方、電極１１０ｂに対して液滴の付着後には、汚染物が付着している場合、汚染物が付着していない場合に比して、共振周波数ｆはΔｆａｆｔｅｒ分シフトする。ΔｆｂｅｆｏｒｅとΔｆａｆｔｅｒの量は必ずしも一致しない。このように、ＱＣＭセンサ１０６の電極１１０ｂに汚染物が付着していると、水晶振動子１１０の共振周波数を正確に測定できないため、液滴の重量Ｉｍを高精度に測定することができない。
【００４３】
［液滴重量の測定フロー］
図１０は、図１の液滴吐出装置１００の液滴重量の測定フローを示す図である。なお、吐出ヘッド１０３は、ＱＣＭセンサ１０６上になく待機位置にあるものとする。制御部１０１は、不図示の操作部から液滴重量の測定の実行指示が入力されると、図１０に示すフローを実行する。図１０において、まず、計測部１０７では、振動電圧発振部１１１は、ＱＣＭセンサ１０６の電極１１０ａに振動電圧を周波数掃引しながら印加する（ステップＳ１）。測定部１１２は、ＱＣＭセンサ１０６の電極１１０ｂに流れる電流を検出してインピーダンスの変化を検出し、ＱＣＭセンサ１０６の電極１１０ａに液滴の付着前の水晶振動子１１０の共振周波数ｆｂｅｆｏｒｅを算出して、演算部１１３に出力する（ステップＳ２）。演算部１１３は、この電極１１０ａに液滴の付着前の水晶振動子１１０の共振周波数ｆｂｅｆｏｒｅを制御部１０１に出力する。
【００４４】
制御部１０１は、共振周波数ｆｂｅｆｏｒｅが所定範囲ｓｆ１（第１の所定範囲）内にあるか否かを判断する（ステップＳ３）。ここで、所定範囲ｓｆ１としては、例えば、基準とする共振周波数との誤差が略±５％以内の範囲とすることができる。また、基準とする共振周波数は、未使用のＱＣＭセンサ（液滴付着前）の水晶振動子の共振周波数とすることができる。この判断の結果、制御部１０１は、共振周波数ｆｂｅｆｏｒｅが所定範囲ｓｆ１内にない場合には（ステップＳ３の「Ｎｏ」）、表示部１０８にＱＣＭセンサ１０６が汚れている旨（例えば、「センサが汚れています。洗浄して下さい。」）を表示する（ステップＳ１１）。この表示を見て、操作者は、ＱＣＭセンサ１０６の洗浄を行うことができる。
【００４５】
他方、制御部１０１は、共振周波数ｆｂｅｆｏｒｅが所定範囲ｓｆ１内にある場合には（ステップＳ３の「Ｙｅｓ」）、液滴重量測定工程を実行する（ステップＳ４〜Ｓ１０）。まず、制御部１０１は、吐出ヘッド１０３から吐出された液滴が、水晶振動子１１０の電極１１０ｂの略中央位置（図４の地点ＰＥ参照）に付着するような位置まで、ヘッドキャリッジ１０２により吐出ヘッド１０３を搬送する（ステップＳ４）。ここで、電極１１０ｂの略中央位置としているのは、電極１１０ｂの略中央位置に液滴を付着させた場合、検出精度が向上するためである。
【００４６】
続いて、制御部１０１は、標準駆動波形に従って、吐出ヘッド１０３に含まれるピエゾ素子１２２に駆動信号を供給して、吐出ヘッド１０３から電極１１０ｂのＰＥに向けて液滴を吐出させる（ステップＳ５）。この後、制御部１０１は、ヘッドキャリッジ１０２により吐出ヘッド１０３を待機位置まで搬送する（ステップＳ６）。ここで、吐出ヘッド１０３を待機位置まで搬送しているのは、吐出ヘッド１０３がＱＣＭセンサ１０６の上方にある場合には、吐出ヘッド１０３の浮遊容量の影響によりＱＣＭセンサ１０６の出力が不安定になるからである。
【００４７】
この後、計測部１０７では、振動電圧発振部１１１は、ＱＣＭセンサ１０６の電極１１０ａに振動電圧を周波数掃引しながら印加する（ステップＳ７）。測定部１１２は、ＱＣＭセンサ１０６の電極１１０ｂに流れる電流を検出してインピーダンスの変化を検出し、ＱＣＭセンサ１０６の電極１１０ｂに液滴の付着後の共振周波数ｆａｆｔｅｒと、そのときの共振抵抗Ｒを算出して、演算部１１３に出力する（ステップＳ８）。
【００４８】
演算部１１３は、共振周波数ｆｂｅｆｏｒｅ、ｆａｆｔｅｒに基づいて、共振周波数の変化量Δｆｒｅｑ＝ｆｂｅｆｏｒｅ−ｆａｆｔｅｒを算出し、算出したΔｆｒｅｑを上述した式（１）を用いて液滴の重量Ｉｍを算出する（ステップＳ９）。また、演算部１１３は、共振抵抗Ｒに基づいて、上述した式（２）を用いて液滴の粘度η算出する。演算部１１３は、算出した液滴の重量Ｉｍおよび粘度ηを制御部１０１に出力する。制御部１０１は、算出された液滴の重量Ｉｍおよび液滴の粘度ηを表示部１０８に表示する（ステップＳ１０）。
【００４９】
なお、制御部１０１は、算出した液滴の重量Ｉｍが所定値以下であるか否かを判断して、算出した液滴の重量Ｉｍが所定値以下である場合には、制御部１０１は、吐出ヘッド１０３のノズル詰まりまたはインクのエンドの可能性があると判断して、“ノズル詰まりまたはインクのエンド”の可能性がある旨を表示部１０８に表示することにてしも良い。また、制御部１０１は、以上のようにして測定した標準駆動波形の駆動信号で形成された液滴の重量Ｉｍに基づいて、吐出ヘッド１０３で描画対象物Ｗに描画を行う場合に、吐出ヘッド１０３に印加する駆動信号の駆動波形を変更することにしても良い。測定終了後には、操作者はＱＣＭセンサ１０６を取り外して、電極１１０ｂに付着した液滴を清掃して次の測定に備える。
【００５０】
以上説明したように、実施の形態１の液滴吐出装置１００によれば、測定部１２は、吐出ヘッド１０３から吐出される液滴が電極１１０ｂに付着前の水晶振動子１１０の共振周波数ｆｂｅｆｏｒｅ（第１の共振周波数）を検出する。制御部１０１は、共振周波数ｆｂｅｆｏｒｅが所定範囲ｓｆ１（第１の所定範囲）内に有るか否かを判定し、共振周波数ｆｂｅｆｏｒｅが所定範囲ｓｆ１内にない場合には、液滴重量測定工程を実行しない一方、共振周波数ｆｂｅｆｏｒｅが所定範囲ｓｆ１内にある場合には、液滴重量測定工程を実行する。これにより、ＱＣＭセンサ１０６に汚染物が付着していて正確に液滴の重量を測定できない場合には、液滴の重量の測定を回避でき、ＱＣＭセンサ１０６に汚染物が付着していない場合のみ液滴の重量を測定することができる。この結果、吐出ヘッド１０３から吐出される液滴の重量を高精度に測定することが可能な液滴重量測定装置を提供することができる。
【００５１】
また、実施の形態１によれば、制御部１０１は、共振周波数ｆｂｅｆｏｒｅが所定範囲ｓｆ１内にない場合には、ＱＣＭセンサ１０６が汚れている旨を表示部１０８に表示することとしたので、操作者はＱＣＭセンサ１０６の汚れを知ることができ、ＱＣＭセンサ１０６を清掃して再度液滴の重量の測定を行ったり、新品のＱＣＭセンサ１０６に交換して液滴の重量を測定することができる。本実施の形態１の液滴吐出装置１００は、工業用のインクジェット装置として使用することができ、例えば、配線、カラーフィルタ、配向膜、マイクロレンズアレイ、エレクトロルミネセンス材料、および生体物質等のパターン形成に使用することができる。
【００５２】
［変形例１］
図１１は、実施の形態１の変形例１にかかる液滴重量測定フローを示している。図１１において、図１０と同一の処理を行うステップは、同一のステップ番号を付し、その説明は省略する。実施の形態１では、上記図１０で説明したように、共振周波数ｆｂｅｆｏｒｅ（第１の共振周波数）が所定範囲ｓｆ１（第１の所定範囲）内にない場合に、ＱＣＭセンサ１０６が汚れていると判断している。これに対して、変形例１では、共振周波数ｆｂｅｆｏｒｅ（第１の所定範囲）が所定範囲内にある場合でも、さらに、共振周波数ｆａｆｔｅｒが所定範囲内にない場合には、ＱＣＭセンサが汚れていると判断して、より液滴重量の測定精度を向上させる。
【００５３】
図１１において、ステップＳ２０では、制御部１０１は、共振周波数ｆａｆｔｅｒ（第２の共振周波数）が所定範囲ｓｆ２（第２の所定範囲）内にあるか否かを判断する。ここで、所定範囲ｓｆ２としては、例えば、新品のＱＣＭセンサの所定量の液滴付着後の共振周波数との誤差が略±５％の以内の範囲とすることができる。この判断の結果、共振周波数ｆａｆｔｅｒ（第２の共振周波数）が所定範囲ｓｆ２（第２の所定範囲）内にない場合には（ステップＳ２０の「Ｎｏ」）、制御部１０１は、表示部１０８にＱＣＭセンサ１０６が汚れている旨（例えば、「センサが汚れています。洗浄して下さい。」）を表示する（ステップＳ１１）。他方、共振周波数ｆａｆｔｅｒ（第２の共振周波数）が所定範囲ｓｆ２（第２の所定範囲）内にある場合には（ステップＳ２０の「Ｙｅｓ」）、液滴の重量Ｉｍを算出する（ステップＳ９）。
【００５４】
変形例１によれば、共振周波数ｆｂｅｆｏｒｅ（第１の共振周波数）が所定範囲ｓｆ１（第１の所定範囲）内にある場合でも、共振周波数ｆａｆｔｅｒ（第２の共振周波数）が所定範囲ｓｆ２（第２の所定範囲）内にない場合には、液滴の重量Ｉｍを測定しないこととしたので、より厳格にＱＣＭセンサ１０６の汚染物の付着を検出することができる。
【００５５】
また、制御部１０１は、共振周波数ｆａｆｔｅｒ（第２の共振周波数）が所定範囲ｓｆ２（第２の所定範囲）内にない場合には、表示部１０８にＱＣＭセンサ１０６が汚れている旨を表示することとしたので、操作者はＱＣＭセンサ１０６の汚れを知ることができ、ＱＣＭセンサ１０６を清掃して再度液滴の重量の測定を行ったり、新品のＱＣＭセンサ１０６に交換して液滴の重量を測定することができる。
【００５６】
（実施の形態２）
図１２は、本発明の実施の形態２にかかる液滴吐出装置２００の全体の概略構成を示す図である。図１２において、図１と同等機能を有する部位には同一符号を付してある。実施の形態１の液滴吐出装置１００では、液滴重量の測定後に液滴が付着したＱＣＭセンサ１０６を操作者が清掃しなければならない。これに対して、実施の形態２の液滴吐出装置２００は、液滴が付着したＱＣＭセンサ１０６を洗浄する洗浄機構と、洗浄後にＱＣＭセンサ１０６を乾燥させる乾燥機構とを搭載してＱＣＭセンサ１０６を自動で洗浄および乾燥させる構成である。
【００５７】
図１２において、センサキャリッジ２０１は、制御部１０１の制御に従って、ＱＣＭセンサ１０６を主走査方向に搬送する。洗浄部２０２は、制御部１０１の制御に従って、ＱＣＭセンサ１０６に洗浄液を噴射してＱＣＭセンサ１０６の電極１１０ｂの洗浄を行う。ここで、洗浄液としては、エタノール、イソプロピルアルコール、水等の溶媒を使用することができる。乾燥部２０３は、送風器等からなり、制御部１０１の制御に従って、洗浄部２０２で洗浄されたＱＣＭセンサ１０６に送風して、ＱＣＭセンサ１０６を乾燥させる。
【００５８】
図１３は、図１２の液滴吐出装置２００の液滴重量の測定フローを示す図である。図１３において、図１０と同一の処理を行うステップは、同一のステップ番号を付し、その説明は省略する。図１３において、ステップＳ３では、制御部１０１は、共振周波数ｆｂｅｆｏｒｅ（第１の共振周波数）が所定範囲ｓｆ１（第１の所定範囲）内にあるか否かを判断し（ステップＳ３）、共振周波数ｆｂｅｆｏｒｅが所定範囲内にある場合には（ステップＳ３の「Ｙｅｓ」）、図１０と同様に液滴重量測定工程を実行する（ステップＳ４〜Ｓ１０）。
【００５９】
制御部１０１は、液滴重量測定工程が終了すると、洗浄工程（ステップＳ２１〜Ｓ２５）を実行する。まず、制御部１０１は、洗浄部２０２の下方位置まで、センサキャリッジ２０１によりＱＣＭセンサ１０６を搬送する（ステップＳ２１）。続いて、制御部１０１は、洗浄部２０２に、ＱＣＭセンサ１０６の電極１１０ｂに向けて洗浄液を噴射させる（ステップＳ２２）。この後、制御部１０１は、乾燥部２０３の下方位置まで、センサキャリッジ２０１によりＱＣＭセンサ１０６を搬送する（ステップＳ２３）。そして、制御部１０１は、乾燥部２０３に、ＱＣＭセンサ１０６の電極１１０ｂに向けて送風させる（ステップＳ２４）。この後、制御部１０１は、センサキャリッジ２０１によりＱＣＭセンサ１０６を待機位置まで搬送する（ステップＳ２５）。
【００６０】
他方、ステップＳ３において、制御部１０１は、共振周波数ｆｂｅｆｏｒｅ（第１の共振周波数）が所定範囲ｓｆ１（第１の所定範囲）内にないと判断した場合には（ステップＳ３の「Ｎｏ」）、再洗浄工程（ステップＳ２６〜Ｓ３０）を実行する。再洗浄工程では、ＱＣＭセンサ１０６の電極１１０ｂに汚れが残っている場合に、再度洗浄して、ＱＣＭセンサ１０６の電極１１０ｂの汚れを除去するものである。まず、制御部１０１は、洗浄部２０２の下方位置まで、センサキャリッジ２０１によりＱＣＭセンサ１０６を搬送する（ステップＳ２６）。続いて、制御部１０１は、洗浄部２０２に、ＱＣＭセンサ１０６の電極１１０ｂに向けて洗浄液を噴射させる（ステップＳ２７）。この後、制御部１０１は、乾燥部２０３の下方位置まで、センサキャリッジ２０１によりＱＣＭセンサ１０６を搬送する（ステップＳ２８）。そして、制御部１０１は、乾燥部２０３に、ＱＣＭセンサ１０６の電極１１０ｂに向けて送風させる（ステップＳ２９）。この後、制御部１０１は、センサキャリッジ２０１によりＱＣＭセンサ１０６を待機位置まで搬送する（ステップＳ３０）。再洗浄工程が終了すると、ステップＳ１に戻り、再度、共振周波数ｆｂｅｆｏｒｅを測定し、共振周波数ｆｂｅｆｏｒｅが所定範囲ｓｆ１内となった場合には（ステップＳ１〜Ｓ３）、液滴重量測定工程（ステップＳ４〜ステップＳ１０）が実行される。
【００６１】
以上説明したように、実施の形態２の液滴吐出装置２００によれば、ＱＣＭセンサ１０６を洗浄するための洗浄部２０２を備え、制御部１０１は、共振周波数ｆｂｅｆｏｒｅ（第１の共振周波数）が所定範囲ｓｆ１（第１の所定範囲）内にないと判断した場合には、洗浄部２０２にＱＣＭセンサ１０６の電極１１０ｂを洗浄させ、洗浄後に測定した水晶振動子１６０の共振周波数ｆｂｅｆｏｒｅ（第１の共振周波数）が所定範囲ｓｆ１（第１の所定範囲）内となった場合には、液滴の重量を測定することとしたので、自動的にＱＣＭセンサ１０６の電極１１０ｂに付着した液滴を洗浄することができる。この結果、液滴重量の測定後に液滴が付着したＱＣＭセンサ１０６を操作者が清掃する必要がなくなる。
【００６２】
（実施の形態３）
図１４は、本発明の実施の形態３にかかる液滴吐出装置３００の概略構成を示す図である。実施の形態３にかかる液滴吐出装置３００は、インクジェットプリンタとしたものである。実施の形態３にかかる液滴吐出装置３００は、用紙搬送路３０４の一部にＱＣＭセンサ３０１が設けられており、また、キャリッジ３０２に吐出ヘッドが搭載されている。この吐出ヘッドから吐出される液滴（インク滴）の重量の測定原理は、実施の形態１と同様であるのでその説明は省略する。実施の形態３にかかる液滴吐出装置３００は、印刷用紙上でキャリッジ３０２を往復動させながら微細なインク滴を吐出することによって、印刷用紙上にインクドットを形成して画像を印刷するインクジェットプリンタである。
【００６３】
図１４を参照して、液滴吐出装置３００が用紙に画像を印刷する動作を簡単に説明する。キャリッジ３０２には、インク滴を吐出するための吐出ヘッドが内蔵されている。キャリッジ３０２の上面側に装着されたインクカートリッジ３０８は吐出ヘッドにインクを供給する。印刷用紙は紙送りローラ３０３によってキャリッジ３０２の下側の所定位置に搬送される。印刷用紙が所定位置にセットされると、キャリッジ３０２は印刷用紙上を往復動しながら吐出ヘッドからインク滴を吐出させる。キャリッジ３０２は、図示するように２本のガイドレール３０５に導かれ、駆動ベルト３０６を介してキャリッジモータ３０７によって駆動される。このように、キャリッジ３０２を往復動させる動作は主走査と呼ばれる。
【００６４】
キャリッジ３０２の主走査に同期させて紙送りローラ３０３を駆動し、印刷用紙を主走査方向と直角方向に少しずつ移動させる。このように、主走査方向と交差する方向に、吐出ヘッドと印刷用紙とを相対的に移動させる動作は副走査と呼ばれる。こうして、キャリッジ３０２を主走査させながら印刷用紙を副走査させ、これにあわせてインク滴を適切なタイミングで吐出することで印刷用紙上にインクドットを形成し、これによって画像を印刷している。
【００６５】
このように、本発明の液滴吐出装置は、インクジェットプリンタにも好適に使用することが可能である。なお、インク滴の代わりに試料液体の重量を測定する場合には、インクカートリッジ３０８を取り外して、インクの代わりに試料液体が収納された容器をキャリッジ３０２に装着することにすれば良い。本発明は、上記した実施の形態１〜実施の形態３に限定されるものではなく、発明の要旨を変更しない範囲で適宜変形して実施可能である。
【図面の簡単な説明】
【図１】本発明の実施の形態１にかかる液滴吐出装置の全体の概略構成を示す図である。
【図２】吐出ヘッドの詳細な構成を示す図である。
【図３】吐出ヘッドから吐出する液滴の大きさを変更する原理を説明するための図である。
【図４】ＱＣＭセンサの構成を示す平面図である。
【図５】水晶振動子の等価回路を示す図である。
【図６】計測部の概念図である。
【図７】帰還型の自励発振方式の概念図である。
【図８】水晶振動子のアドミッタンス線図である。
【図９】水晶振動子の共振周波数の変化を説明するための図である。
【図１０】本発明の実施の形態１にかかる液滴吐出装置の液滴重量の測定フローを示す図である。
【図１１】変形例１にかかる液滴吐出装置の液滴重量の測定フローを示す図である。
【図１２】本発明の実施の形態２にかかる液滴吐出装置の全体の概略構成を示す図である。
【図１３】本発明の実施の形態２にかかる液滴吐出装置の液滴重量の測定フローを示す図である。
【図１４】本発明の実施の形態３にかかる液滴吐出装置の全体の概略構成を示す図である。
【符号の説明】
１００  液滴吐出装置、１０１  制御部、１０２  ヘッドキャリッジ、１０３Ｒ、１０３Ｇ、１０３Ｂ  吐出ヘッド、１０４Ｒ、１０４Ｇ、１０４Ｂ  インクタンク、１０５  ステージ、１０６  ＱＣＭセンサ、１０７  計測部、１０８  表示部、１１０  水晶振動子、１１０ａ、１１０ｂ  電極、１１１  振動電圧発振部、１１２  測定部、１１３  演算部、１２１  圧力室、１２２、ピエゾ素子、１２３  ノズル、１３１  絶縁体、１３２ａ、１３２ｂ  支持体、１３３ａ、１３３ｂ  端子、２００  液滴吐出装置、２０１  センサキャリッジ、２０２  洗浄部、２０３  乾燥部、３００  液滴吐出装置、３０１  ＱＣＭセンサ、３０２キャリッジ、３０３  紙送りローラ、３０４  用紙搬送路、３０５  ガイドレール、３０６  駆動ベルト、３０７  キャリッジモータ、３０８  インクカートリッジ
【図１】
2005043124.tif 000005
【図２】
2005043124.tif 000006
【図３】
2005043124.tif 000007
【図４】
2005043124.tif 000008
【図５】
2005043124.tif 000009
【図６】
2005043124.tif 000010
【図７】
2005043124.tif 000011
【図８】
2005043124.tif 000012
【図９】
2005043124.tif 000013
【図１０】
2005043124.tif 000014
【図１１】
2005043124.tif 000015
【図１２】
2005043124.tif 000016
【図１３】
2005043124.tif 000017
【図１４】
2005043124.tif 000018